(57)【特許請求の範囲】
【請求項１】
対象物（２）をカウントして放出するためのデバイス（１）であって、
互いに対して相対的にスライド移動可能とされた２つの構成部材（１０，１１）を具備してなり、
−前記２つの構成部材のうちの第１構成部材（１０）が、カウントされて放出されることとなる対象物を放出するためのコンジット（１００）を備え、前記コンジット（１００）は上流側端部を備え、該上流側端部において前記対象物は前記コンジットに進入し、
−前記２つの構成部材のうちの第２構成部材（１１）が、前記第１構成部材と協働して、前記放出コンジット（１００）内にチャンバ（１０１）を規定する２つの閉塞部材（１Ａ，１Ｂ）を形成し、前記チャンバ（１０１）が、所定数の対象物を収容し得るよう構成され、
前記閉塞部材（１Ａ，１Ｂ）が、前記第１構成部材と前記第２構成部材との相対位置に応じて、
・前記チャンバの開放位置であるとともに、カウントされて放出されることとなる対象物を通過させ得る寸法を有したオリフィスを前記閉塞部材が規定する、開放位置と、
・前記チャンバの閉塞位置であるとともに、前記オリフィスの寸法が、対象物を通過させ得ないほど十分に小さなものとされ、前記閉塞部材が、前記オリフィスを形成するための、互いに対向した２つの傾斜部分を有し、前記傾斜部分は、前記閉塞位置において互いに接触して連結されていない、閉塞位置と、
を取り得るものとされ、
前記第１構成部材（１０）および前記第２構成部材（１１）が、相対的なスライドによって、
（ｉ）前記２つの閉塞部材のうちの第１閉塞部材が、前記チャンバ（１０１）の開放位置とされ、かつ、前記２つの閉塞部材のうちの第２閉塞部材が、前記チャンバ（１０１）の閉塞位置とされた、状態と、
（ｉｉ）前記第１閉塞部材と前記第２閉塞部材との双方が、前記チャンバ（１０１）の閉塞位置とされた状態と、
（ｉｉｉ）前記第１閉塞部材が、前記チャンバ（１０１）の閉塞位置とされ、かつ、前記第２閉塞部材が、前記チャンバ（１０１）の開放位置とされた、状態と、
（ｉｖ）前記第１閉塞部材と前記第２閉塞部材との双方が、前記チャンバ（１０１）の閉塞位置とされた状態と、
を有してなる駆動シーケンスを提供し得るよう構成されている、
ことを特徴とするデバイス。
【請求項２】
請求項１記載のデバイスにおいて、
前記第１構成部材（１０）が、前記コンジット（１００）の長手方向軸線（Ｘ）に沿って前記第２構成部材（１１）に対してスライド可能に構成され、これにより、前記駆動シーケンスの一部においては、前記第１構成部材（１０）が、対象物の流れ方向に関して上流側に向けて、前記第２構成部材（１１）を超えて延在し、これにより、前記コンジット（１００）よりも上流側に位置したカウントされて放出されることとなる対象物の混合が行われる、
ことを特徴とするデバイス。
【請求項３】
請求項１または２記載のデバイスにおいて、
前記コンジット（１００）が、その上流側端部のところに、傾斜壁（１０３０）を有し、これにより、カウントされて放出されることとなる対象物を、前記コンジット（１００）内において配向させるおよび／または案内する、
ことを特徴とするデバイス。
【請求項４】
請求項１〜３のいずれか１項に記載のデバイスにおいて、
−前記第１構成部材（１０）が、チューブ状のボディ（１０３）を備え、
このボディ（１０３）が、径方向において互いに反対側に位置した２対の開口（１０３Ａ，１０３Ｂ）と、２対のフレキシブルアーム（１０２Ａ，１０２Ｂ）と、を有し、
前記フレキシブルアーム（１０２Ａ，１０２Ｂ）が、前記ボディ（１０３）の前記開口（１０３Ａ，１０３Ｂ）のそれぞれの中に係合する突起（１０４）を有し、
−前記第２構成部材（１１）が、チューブ状の形状とされ、
前記第２構成部材（１１）の壁には、一対の非直線状のグルーブ（１１２）が穿孔され、
前記第２構成部材（１１）内における前記第１構成部材（１０）のスライド時には、前記グルーブ（１１２）内を前記フレキシブルアーム（１０２Ａ，１０２Ｂ）が移動し、
前記グルーブ（１１２）の形状が、前記コンジット（１００）内に対しての、前記フレキシブルアームの前記突起（１０４）の係合態様を、変更させ得るように構成されている、
ことを特徴とするデバイス。
【請求項５】
請求項１記載のデバイスにおいて、
前記第２構成部材（１１）が、前記第１構成部材（１０）に対して、前記コンジット（１００）の長手方向軸線（Ｘ）に対して垂直な平面内においてスライドし得るよう構成されている、
ことを特徴とするデバイス。
【請求項６】
請求項５記載のデバイスにおいて、
前記第１構成部材（１０）が、チューブ状の形状とされ、
前記第１構成部材（１０）の壁には、２対の開口（１０７）が穿孔され、
前記第２構成部材（１１）が、前記コンジット（１００）の前記長手方向軸線（Ｘ）に対して垂直に延在する２対の平行アーム（１１０，１１１）を有し、
各平行アーム（１１０，１１１）が、それぞれ対応する前記開口（１０７）を通して前記コンジット（１００）内へと選択的に係合する突起（１１０Ａ，１１１Ｂ）を有している、
ことを特徴とするデバイス。
【請求項７】
請求項４または６記載のデバイスにおいて、
各突起（１０４，１１０Ａ，１１１Ｂ）が、傾斜形状を有している、
ことを特徴とするデバイス。
【請求項８】
請求項７記載のデバイスにおいて、
前記閉塞部材の前記閉塞位置においては、互いに対向している前記突起どうしが、連結されていない、
ことを特徴とするデバイス。
【請求項９】
請求項１〜８のいずれか１項に記載のデバイスにおいて、
さらに、前記第１構成部材（１０）および前記第２構成部材（１１）のための相対的な復帰デバイスを具備している、
ことを特徴とするデバイス。
【請求項１０】
請求項９記載のデバイスにおいて、
前記復帰デバイスが、前記第１構成部材（１０）および前記第２構成部材（１１）のうちの一方に対して固定された弾性復帰部材（１１５）を有している、
ことを特徴とするデバイス。
【請求項１１】
請求項１〜１０のいずれか１項に記載のデバイスにおいて、
前記第１構成部材（１０）および前記第２構成部材（１１）の各々が、一体部材として形成され、
前記デバイスが、前記第１構成部材（１０）と前記第２構成部材（１１）とだけから構成されている、
ことを特徴とするデバイス。
【請求項１２】
対象物を収容するための容器であって、
請求項１〜１１のいずれか１項に記載されたデバイスを具備している、
ことを特徴とする容器。
【請求項１３】
請求項１２記載の容器において、
前記対象物が、ホメオパシー粒子、または、ゲルカプセル、または、タブレット、または、カプセル、または、微粒子、である、
ことを特徴とする容器。
【発明の詳細な説明】
【技術分野】
【０００１】
本発明は、例えばビーズや粒子や微粒子やタブレットやカプセルといったような対象物をカウントして供給するためのデバイスに関するものであり、そのような対象物を含有しているとともにそのようなデバイスを備えた容器に関するものであり、特に、ホメオパシー粒子のチューブに関するものである。
【背景技術】
【０００２】
例えばホメオパシー治療の分野においては、患者が粒子を直接的に取り扱うことなく、所定数の粒子が患者に対して投与されなければならない。
【０００３】
したがって、所定数の粒子を支給するという目的で、いくつかのディスペンサが開発されてきた。
【０００４】
特許文献１には、粒子を含有した容器の端部に配置されたディスペンサであって、回転ディスクを備え、この回転ディスクには、粒子を通過させるためのオリフィスと、容器内に残存する粒子を保持するためのラグと、が設けられている、ディスペンサが開示されている。粒子を解放するには、回転ディスクは、容器上に固定されたストッパに設置されたセル内に粒子を投与し得る第１位置とされ、その後、回転ディスクは、通過オリフィスをセルの前方へと配置するところにまで回転される。これにより、粒子をストッパ内へと通過させることができる。
【０００５】
特許文献２には、粒子のためのディスペンサであって、粒子の流通のための螺旋傾斜を有したネックと、粒子のためのハウジングを有した構成部材と、を備えており、ハウジングが、螺旋傾斜から粒子を受け入れるための受領位置と、粒子を解放するための解放位置と、の間にわたってスライド移動可能とされた、ディスペンサが開示されている。
【０００６】
特許文献３には、粒子のためのディスペンサが開示されており、このディスペンサの動作は、粒子の流れ方向に対しての横方向に圧力を印加することによって、ディスペンサを弾性変形させることをベースとしている。
【０００７】
特許文献４には、粒子のためのディスペンサが開示されており、このディスペンサは、チューブの端部に配置されているとともに、チムニーを備えており、チムニーは、チューブに対しての中央位置であるとともに所定数の粒子の通過を可能とする中央位置と、チューブに対しての非中央位置であるとともに粒子の通過を阻止して容器からの粒子の放出を可能とする非中央位置と、の間にわたって回転可能とされている。
【０００８】
最後に、特許文献５には、タブレットのためのディスペンサが開示されており、このディスペンサは、タブレットタンクと、タブレットのためのハウジングを有したスライド引き出しと、を備えている。引き出しは、様々な位置を取ることができ、一方においては、タンクに対して連通した位置を取ることができ、他方においては、導出オリフィスに対して連通した位置を取ることができ、一度につき１つずつタブレットを放出することを可能としている。
【先行技術文献】
【特許文献】
【０００９】
【特許文献１】ＥＰ ０ ００２ ４０３
【特許文献２】ＦＲ ２ ７５９ ６７７
【特許文献３】ＦＲ ２ ８６７ ４５９
【特許文献４】ＣＡ １,２９７,８４４
【特許文献５】ＦＲ ２ ９２８ ３５６
【発明の概要】
【発明が解決しようとする課題】
【００１０】
ここで、ホメオパシー粒子は、実質的に球形状を有した対象物であって、その寸法は、定格直径に対して、比較的大きな変動範囲で変化するものである。
【００１１】
したがって、定格直径よりも大きな直径を有した粒子が存在する場合には、粒子を受領するために設けられたハウジングと比較して粒子がより大きなものであるというリスクが存在する。そのため、タンクから導出オリフィスへの粒子の移送を目的としたハウジングの移動（回転や並進移動）が、粒子に対して剪断力を引き起こしてしまい、場合によっては、粒子を破損させてしまったり、ディスペンサの詰まりを引き起こしてしまったり、しかねない。
【００１２】
これとは逆に、定格直径よりも小さな直径を有した粒子が存在する場合には、リスクは、同時に２つの粒子がハウジング内へと導入されてしまうことである。その場合、ハウジングの移動は、粒子に対して大きな剪断力を引き起こしてしまい、粒子が、セル内へと部分的にしか係合することができず、粒子を破損させてしまったり、ディスペンサの詰まりを引き起こしてしまったり、しかねない。フィルムを有したタブレットという特定の場合には、この破損は、薬剤処置の実際の効果に不利益をもたらしてしまいかねず、有効成分が、ターゲット部位へと届かないことがあり得る。
【００１３】
ホメオパシー応用においては、粒子サイズがあまり正確に制御されていないことのために、既存のディスペンサの場合に頻繁に起こる問題点は、ディスペンサの駆動シーケンスの終了時点で、期待した粒子の解放が得られないことである。
【００１４】
他の応用においては、特に薬剤分野においては、所定数の対象物を放出することが予定されている。例えば、それは、ゲルカプセルや、微粒子や、カプセルや、タブレット、の場合である。
【課題を解決するための手段】
【００１５】
したがって、本発明の目的は、既存のディスペンサにおける上記の問題点を回避し得るような、とりわけ、詰まりを引き起こすというリスクやディスペンサの機能不全を引き起こすというリスクを制限し得るような、さらに、対象物に印加される力を最小化して対象物の完全性を保存し得るような、対象物をカウントして放出するためのデバイスの構成を提供することである。本発明の目的は、さらに、対象物の数を信頼性高くカウントし得るデバイスの構成を提供することである。本発明の他の目的は、より少数の構成部材から製造できるとともに、大量生産に適した手法で製造でき、これにより、既存のデバイスと比較して経済的な競争力を有しているような、デバイスの構成を提供することである。
【００１６】
本発明においては、対象物をカウントして放出するためのデバイスが提案され、このデバイスは、互いに対して相対的にスライド移動可能とされた２つの構成部材を具備してなり、
−２つの構成部材のうちの第１構成部材が、カウントされて放出されることとなる対象物を放出するためのコンジットを備え、
−２つの構成部材のうちの第２構成部材が、第１構成部材と協働して、放出コンジット内にチャンバを規定する２つの閉塞部材を形成し、チャンバが、所定数の対象物を収容し得るよう構成され、
閉塞部材が、第１構成部材と第２構成部材との相対位置に応じて、
・チャンバの開放位置であるとともに、カウントされて放出されることとなる対象物を通過させ得る寸法を有したオリフィスを閉塞部材が規定する、開放位置と、
・チャンバの閉塞位置であるとともに、オリフィスの寸法が、対象物を通過させ得ないほど十分に小さなものとされ、閉塞部材が、互いに対向した２つの傾斜部分を有し、閉塞部材どうしが互いに連結されていない、閉塞位置と、
を取り得るものとされ、
第１構成部材および第２構成部材が、相対的なスライドによって、
（ｉ）２つの閉塞部材のうちの第１閉塞部材が、チャンバの開放位置とされ、かつ、２つの閉塞部材のうちの第２閉塞部材が、チャンバの閉塞位置とされた、状態と、
（ｉｉ）第１閉塞部材と第２閉塞部材との双方が、チャンバの閉塞位置とされた状態と、
（ｉｉｉ）第１閉塞部材が、チャンバの閉塞位置とされ、かつ、第２閉塞部材が、チャンバの開放位置とされた、状態と、
（ｉｖ）第１閉塞部材と第２閉塞部材との双方が、チャンバの閉塞位置とされた状態と、
を有してなる駆動シーケンスを提供し得るよう構成されている。
【００１７】
一実施形態においては、第１構成部材は、コンジットの長手方向軸線に沿って第２構成部材に対してスライド可能に構成され、これにより、駆動シーケンスの一部においては、第１構成部材が、対象物の流れ方向に関して上流側に向けて、第２構成部材を超えて延在し、これにより、コンジットよりも上流側に位置した対象物の混合が行われる。
【００１８】
特に有利な態様においては、コンジットは、その上流側端部のところに、傾斜壁を有し、これにより、カウントされて放出されることとなる対象物を、コンジット内において配向させるおよび／または案内する。
【００１９】
デバイスの格別の実施形態においては、第１構成部材が、チューブ状のボディを備え、このボディが、径方向において互いに反対側に位置した２対の開口と、２対のフレキシブルアームと、を有し、フレキシブルアームが、ボディの開口のそれぞれの中に係合する突起を有し、第２構成部材が、チューブ状の形状とされ、第２構成部材の壁には、一対の非直線状のグルーブが穿孔され、第２構成部材内における第１構成部材のスライド時には、グルーブ内をフレキシブルアームが移動し、グルーブの形状が、コンジット内に対しての、フレキシブルアームの突起の係合態様を、変更させ得るように構成されている。突起からなる各対は、互いに協働して、閉塞部材を規定し、閉塞部材の開放または閉塞が、それら突起の間の距離に依存する。
【００２０】
他の実施形態においては、第２構成部材が、第１構成部材に対して、コンジットの長手方向軸線に対して垂直な平面内においてスライドし得るよう構成されている。
【００２１】
デバイスの格別の実施形態においては、第１構成部材が、チューブ状の形状とされ、第１構成部材の壁には、２対の開口が穿孔され、第２構成部材が、コンジットの長手方向軸線に対して垂直に延在する２対の平行アームを有し、各平行アームが、それぞれ対応する開口を通してコンジット内へと選択的に係合する突起を有している。互いに対向する２つの突起の間の距離は、対象物を通過させ得ないよう十分に小さなものとされる。さらに、各アームは、そのような突起を有していない部分を備えている。第２構成部材に対しての第１構成部材の位置に応じて、コンジットは、互いに対向した２つの突起によって少なくとも部分的に閉塞される。これにより、閉塞部材は、閉塞位置とされる。あるいは、コンジットは、突起によって閉塞されない。これにより、閉塞部材が開放位置とされる。
【００２２】
有利には、各突起は、傾斜形状を有している。この傾斜形状は、各対象物の凸状端部と協働し、これにより、閉塞部材が閉塞位置とされた際に対象物に対して剪断力を印加することを回避することができる。
【００２３】
好ましくは、閉塞部材の閉塞位置においては、互いに対向している突起どうしは、連結されていない。
【００２４】
有利な実施形態においては、デバイスは、さらに、第１構成部材および第２構成部材を相対的に復帰させるための復帰デバイスを具備している。
【００２５】
好ましくは、そのような復帰デバイスは、第１構成部材および第２構成部材のうちの一方に対して固定された弾性復帰部材を有している。
【００２６】
デバイスの好ましい実施形態においては、第１構成部材および第２構成部材の各々は、一体部材として形成され、デバイスは、第１構成部材と第２構成部材とだけから構成されている。
【００２７】
本発明の他の目的は、対象物を収容するための容器に関するものであって、この容器は、上述したようなデバイスを具備している。
【００２８】
本発明の有利な応用においては、対象物は、ホメオパシー粒子、または、ゲルカプセル、または、タブレット、または、カプセル、または、微粒子、である。
【００２９】
本発明の他の特徴点や利点は、添付図面を参照しつつ、以下の詳細な説明を読むことにより、明瞭となるであろう。
【図面の簡単な説明】
【００３０】
【図１Ａ】本発明によるデバイスを使用して放出される対象物の様々な例を示す図である。
【図１Ｂ】本発明によるデバイスを使用して放出される対象物の様々な例を示す図である。
【図１Ｃ】本発明によるデバイスを使用して放出される対象物の様々な例を示す図である。
【図１Ｄ】本発明によるデバイスを使用して放出される対象物の様々な例を示す図である。
【図１Ｅ】本発明によるデバイスを使用して放出される対象物の様々な例を示す図である。
【図１Ｆ】本発明によるデバイスを使用して放出される対象物の様々な例を示す図である。
【図１Ｇ】本発明によるデバイスを使用して放出される対象物の様々な例を示す図である。
【図１Ｈ】本発明によるデバイスを使用して放出される対象物の様々な例を示す図である。
【図２Ａ】本発明によるデバイスにおける閉塞部材の様々な構成を概略的に示す図である。
【図２Ｂ】本発明によるデバイスにおける閉塞部材の様々な構成を概略的に示す図である。
【図２Ｃ】本発明によるデバイスにおける閉塞部材の様々な構成を概略的に示す図である。
【図２Ｄ】本発明によるデバイスにおける閉塞部材の様々な構成を概略的に示す図である。
【図３Ａ】丸形対象物のサイズに応じた、チャンバ内のビーズと閉塞部材との様々な相対配置を概略的に示す図である。
【図３Ｂ】丸形対象物のサイズに応じた、チャンバ内のビーズと閉塞部材との様々な相対配置を概略的に示す図である。
【図３Ｃ】丸形対象物のサイズに応じた、チャンバ内のビーズと閉塞部材との様々な相対配置を概略的に示す図である。
【図３Ｄ】丸形対象物のサイズに応じた、チャンバ内のビーズと閉塞部材との様々な相対配置を概略的に示す図である。
【図４】本発明によるデバイスを概略的に示す図であって、放出すべき対象物が、ゲルカプセルとされている。
【図５Ａ】本発明の第１実施形態によるデバイスの様々な構成部材を示す図である。
【図５Ｂ】本発明の第１実施形態によるデバイスの様々な構成部材を示す図である。
【図５Ｃ】本発明の第１実施形態によるデバイスの様々な構成部材を示す図である。
【図５Ｄ】本発明の第１実施形態によるデバイスの様々な構成部材を示す図である。
【図５Ｅ】本発明の第１実施形態によるデバイスの様々な構成部材を示す図である。
【図６Ａ】本発明の第２実施形態によるデバイスの様々な構成部材を示す図である。
【図６Ｂ】本発明の第２実施形態によるデバイスの様々な構成部材を示す図である。
【図６Ｃ】本発明の第２実施形態によるデバイスの様々な構成部材を示す図である。
【図７Ａ】図５Ａ〜図５Ｅのデバイスの代替可能な実施形態を示す図であって、他方に対しての復帰デバイスを有している。
【図７Ｂ】図５Ａ〜図５Ｅのデバイスの代替可能な実施形態を示す図であって、他方に対しての復帰デバイスを有している。
【図８Ａ】図６Ａ〜図６Ｃのデバイスの代替可能な実施形態を示す図であって、他方に対しての復帰デバイスを有している。
【図８Ｂ】図６Ａ〜図６Ｃのデバイスの代替可能な実施形態を示す図であって、他方に対しての復帰デバイスを有している。
【発明を実施するための形態】
【００３１】
本発明は、一般に、球形状や回転楕円形状や凸状端部を有した長尺形状といったような形状の任意の対象物の放出に適用される。非限定的な実施形態においては、対象物は、双方の凸状端部の間に延在する軸線まわりの回転対称性を有することができる。
【００３２】
本明細書においては、「長尺」という用語は、最大寸法（あるいは、長さ）が、双方の凸状端部の間に延在している対象物を意味している。
【００３３】
長尺の対象物とは、カウントおよび放出を行うデバイスのコンジット内において、それらの最大寸法の方向を揃えて配置することを意図している。
【００３４】
図１Ａ〜図１Ｇは、そのような対象物のいくつかの例を示している。
【００３５】
ゲルカプセルが、図１Ａに図示されている。ゲルカプセルは、円形横断面を有した円筒形状部分と、２つの対称的な半球形端部であるとともに、それぞれの曲率半径が円筒形状部分の半径と同じであるような半球形端部と、を有したものとして、定義することができる。双方の半球形端部の間の離間距離は、円筒形状部分の直径よりも大きい。
【００３６】
図１Ｂは、例えば顆粒といったような球形状の対象物を示している。
【００３７】
図１Ｃは、ミクロタブレットとされた微粒子を示している。その直径は、典型的には、０．８〜４ｍｍであり、典型的には直径と同じ長さ上にわたって一定の円筒形状部分と、断面が縮小するようなとりわけ球形キャップとして縮小するような両端部と、を有している。
【００３８】
カプセルが、図１Ｄに示されている。カプセルは、楕円回転体として定義することができる。
【００３９】
図１Ｅは、円形横断面を有した円筒形状部分と、２つの対称的な尖鋭端部と、を有した対象物を示している。２つの尖鋭端部どうしの離間距離は、円筒形状部分の直径よりも大きい。
【００４０】
図１Ｆは、円形横断面を有した円筒形状部分と、２つの対称的な丸形端部と、を有した対象物を示している。端部の曲率半径は、やや大きなものとすることができ、両端部が平坦であることは、除外される。
【００４１】
図１Ｇは、両端部の断面の変形が非常に急激に減少している境界的なケースを示している。しかしながら、一定の横断面積の円筒体ではなく、本発明によるデバイスが効果的である。
【００４２】
図１Ｈは、図１Ａ〜図１Ｇのケースとは違って、回転対称性を有していないタブレットの例を示している。この対象物は、ベースが楕円形状とされた楕円筒形状の直線状部分を有し、２つの面が回転楕円面とされたものとして、定義することができる。この対象物の両端部は、楕円形状の長軸の両端部に対応している。
【００４３】
一般に、固体薬剤という技術分野において得られるすべての形状（粉末を除く。粉末粒子は、カウントすべき対象物とは見なされない。）は、本発明によるデバイスによって放出されるべき対象物として適用することができる。
【００４４】
薬学的応用においては、対象物は、粒子（あるいは、顆粒）や、微粒子や、カプセルや、タブレットや、卵形状や、他のゲルカプセル、とすることができる。
【００４５】
しかしながら、上述したような態様の代替可能な態様をなすすべての対象物を、それらの寸法や比率に関係なく、本発明によるデバイスを使用して所定数でもって放出することができる。したがって、本発明は、一般に、農業食品産業も含めて、所定数の対象物を放出することが必要とされたすべての産業に対して、適用することができる。
【００４６】
図２Ａ〜図２Ｄは、ビーズ２の放出という例に対して適用された場合に、本発明によるカウントして放出するためのデバイス（本明細書においては、「ディスペンサ」とも称される）における閉塞部材１Ａ，１Ｂの動作原理を示している。
【００４７】
これらの図面においては、ビーズ２のためのタンク３が、ディスペンサの上部に配置されている。タンク３は、ビーズのためのコンジット１００に対して連通している。コンジット１００は、長手方向軸線Ｘに沿って延在している。タンク３からディスペンサの導出口へのビーズの流れ方向が、矢印によって示されている。ビーズの放出に関しては、長手方向軸線Ｘは、ディスペンサの上部のタンクに対して、鉛直方向または斜め方向を向いている。これにより、ビーズは、重力によってコンジット１００内へと流れることができる。
【００４８】
コンジット１００は、長手方向軸線Ｘに対して垂直な方向において、単一のビーズだけを通過させ得る横断面を有している。これにより、コンジット１００内においては、複数のビーズが重なり合うこととなる。
【００４９】
放出されるべき対象物が、長尺の対象物である場合には、コンジット１００の横断面は、対象物の長さの方向において縦並びで対象物を通過させ得るように構成される、すなわち、対象物の凸状端部どうしが対向するようにして複数の対象物がコンジット１００内で重なるようにして対象物を通過させ得るように構成される。コンジット１００の横断面は、対象物の長さ以外の向きでの対象物の通過を許容するものではなく、また、コンジットの所定断面積を通して同時に２つ以上の対象物を通過させない。
【００５０】
有利には、ビーズのためのタンクとディスペンサとの間の接合部分は、漏斗の形状となっており、コンジット１００の導入端部のところにおけるビーズどうしのブレーシングを回避することができる。実際、対称的なものと見なしうる凸状端部を有した球形状の対象物あるいは長尺の対象物は、組織化される傾向がある。これにより、タンクの底部の中心を通して見たときには、それら対象物自体が、安定的なほぼチューブ状の構造を形成し、その構造は、その中心において中空であり、機械的混合作用のために継続することから、順次的に圧潰することができる。
【００５１】
タンク３の横断面積は、一般に、コンジット１００の横断面積よりも大きく、タンクの内壁は、有利には、横断面積が縮小するよう下向きに傾斜する部分１１３０を有している。コンジット１００の上端部は、部分１１３０と同じ向きに傾斜する壁１０３０を有している。
【００５２】
閉塞部材１Ａは、ビーズの流れ方向に対してコンジット１００の下流側部分に配置されている。閉塞部材１Ｂは、ビーズの流れ方向に対してコンジット１００の上流側部分に配置されている。
【００５３】
閉塞部材１Ａ，１Ｂは、コンジット１００の一区画を規定している。その一区画は、所定数のビーズを収容することを意図したチャンバ１０１とされている。図２Ａ〜図２Ｄに示す例においては、チャンバは、単一のビーズを受領することを意図されている。すなわち、長手方向軸線Ｘに沿っての閉塞部材１Ａ，１Ｂどうしの離間距離は、ビーズの規格直径に等しいものとされ、ビーズの規格直径の１．５倍を超えないものとされている。しかしながら、本発明によるディスペンサは、チャンバ１０１が２つ以上のビーズを収容し得るように、構成することもできる。このためには、閉塞部材１Ａ，１Ｂどうしの離間距離が十分に大きなものとされる。よって、チャンバ１０１は、そのような対象物の製造方法に起因する寸法誤差を吸収するという可能性を提供しつつ、放出対象をなすビーズの数をカウントする機能を果たすことができる。
【００５４】
図２Ａは、双方の閉塞部材１Ａ，１Ｂが双方ともにチャンバ１０１の閉塞位置とされているという、ディスペンサの状況を示している。この場合には、チャンバ１０１は、空虚とされている。
【００５５】
閉塞部材１Ａ，１Ｂの互いに対向した部分どうしが、接触して連結されているわけではなく、ビーズの規格直径よりも小さな間隔の分だけ互いに離間されていることに、注意されたい。これにより、閉塞部材１Ｂから直接的に上流側に位置するビーズ２が通過することを、阻止している。後述するように、閉塞部材どうしが互いに連結されていないことは、チャンバ１０１内に収容されているビーズに対して何らの剪断力をもたらすことなく、ビーズを保持し得る可能性を提供するという利点を有している。さらに、閉塞部材の互いに対向した部分は、有利には、傾斜した形状を有している。
【００５６】
図２Ｂは、上流側の閉塞部材１Ｂがチャンバ１０１の開放位置とされ、なおかつ、下流側の閉塞部材１Ａが閉塞位置のままとされているという、ディスペンサの状況を示している。図２Ａの状況から図２Ｂの状況への移行は、ディスペンサの２つの構成部材を相対的にスライドさせることによって、得られる。そのようなスライドの実施態様について、以下において詳細に説明する。ここで図示した実施態様は、図５Ａ〜図５Ｅに図示したデバイスに対応するものであって、スライドは、軸線方向において得られる。通路１００を有した構成部材１０が、ディスペンサのうちの、タンク３に対して固定された構成部材１１に対して、下流向きに駆動される。図２Ｂの構成においては、構成部材１０の漏斗形状を有した部分１０３０が、必須的ではないものの理想的には、タンク３の傾斜部分１１３０の延長上に位置していることに、注意されたい。このことは、コンジット１００内へのビーズの導入を容易なものとする。
【００５７】
よって、チャンバ１０１内に受領されることを意図した所定数のビーズ（ここでは、単一のビーズ）が、チャンバ１０１内に導入される。
【００５８】
図２Ｃは、上流側の閉塞部材１Ｂおよび下流側の閉塞部材１Ａの双方がチャンバ１０１の閉塞位置とされているという、ディスペンサの状況を示している。図２Ｂの状況から図２Ｃの状況への移行は、ディスペンサの双方の構成部材を相対的にスライドさせることによって、得られる。ここで図示した実施形態においては、このスライドは、軸線方向において下流側から上流側への動きによって得られる。
【００５９】
したがって、ビーズ２は、双方の閉塞部材の間においてチャンバ１０１内に保持される。ビーズは、チャンバ１０１内へと流入することができず、チャンバ１０１から出ることもできない。
【００６０】
閉塞部材１Ｂが傾斜していることは、この閉塞部材１Ｂの閉塞移動時に、チャンバ１０１内に収容されたビーズに対してまた閉塞部材１Ｂの直接的に上流側に配置されたビーズに対して、剪断応力を作用させてしまうことを回避し得る可能性を提供する。
【００６１】
最後に、図２Ｄは、上流側の閉塞部材１Ｂがチャンバ１０１に対しての閉塞位置のままとされ、なおかつ、下流側の閉塞部材１Ａがチャンバの開放位置とされているという、ディスペンサの状況を示している。図２Ｃの状況から図２Ｄの状況への移行は、ディスペンサの双方の構成部材を相対的にスライドさせることによって、得られる。ここで図示した実施形態においては、このスライドは、軸線方向において下流側から上流側への動きによって得られる。このスライドが、構成部材１０がタンク３内へと進入するという効果を有していることに、注意されたい。これにより、ビーズの混合が行われ、これにより、タンクの導入部分のところにおけるビーズのブレーシングを非常に効果的に回避することができる。
【００６２】
下流側の閉塞部材１Ａの開口により、ビーズ２は（あるいは、２つ以上のビーズがチャンバ１０１内に収容される場合には、これらビーズは）、チャンバから導出されることができ、これにより、ディスペンサから放出されることができる。
【００６３】
動作シーケンスにおける次なるステップは、図２Ａに示すように、閉塞部材１Ａの閉塞である。図２Ｄの状況から図２Ａの状況への移行は、ディスペンサの双方の構成部材を相対的にスライドさせることによって、得られる。ここで図示した実施形態においては、このスライドは、軸線方向において上流側から下流側への動きによって得られる。
【００６４】
他のビーズが取り出されるべき場合には、上記のシーケンスが再度適用される。シーケンスは、所望の合計数のビーズが得られるまで、繰り返される。
【００６５】
上述したように、閉塞部材の構成は、すなわち、閉塞位置において閉塞部材どうしが連結されていないことなおかつ閉塞部材が斜め形状を有していることは、ビーズのサイズがある範囲内で変動したとしても、チャンバ１０１内に挿入されたビーズに対して、また、閉塞部材１Ｂの直接的に上流側に配置されていてチャンバ１０１内に部分的に係合しているビーズに対して、剪断応力を作用させてしまうことを回避し得る可能性を提供する。
【００６６】
図３Ａは、ビーズの規格直径φｎに等しい直径のビーズ２が、チャンバ１０１内に位置しているケースに対応している（ここでは、チャンバ１０１は、単一のビーズを受領するものとされている。ただし、この構成は、必須ではない。）。
【００６７】
閉塞部材１Ａ，１Ｂどうしの間の離間距離は、長手方向軸線Ｘに対して垂直な平面であるとともに各傾斜部分の先端を含有する平面どうしの間の距離として定義されるものであって、ビーズの上端が、上流側の閉塞部材１Ｂの傾斜部分の先端を含有する平面に対して面一となるような、ものとされている。閉塞部材１Ｂの直接的に上流側に位置したビーズ２は、チャンバ１０１内に収容されたビーズ２と、閉塞部材１Ｂの傾斜部分の上流側部分と、の双方に対して接触している。
【００６８】
図３Ｂは、製造誤差を考慮して最大直径（φｓとして示されている）に等しい直径のビーズ２が、チャンバ１０１内に位置しているケースに対応している。
【００６９】
閉塞部材１Ａ，１Ｂどうしの間の離間距離は、図３Ａのディスペンサの場合と同じである。この場合には、チャンバ１０１内に収容されたビーズ２の上端は、上流側の閉塞部材１Ｂの傾斜部分の先端を含有する平面の上流側を超えて突出している。上流側の閉塞部材１Ｂは、チャンバ１０１内に収容されたビーズ２に対して何らの剪断応力を作用させないような十分に大きな開口を有している。閉塞部材１Ｂの直接的に上流側に配置されたビーズ２は、チャンバ１０１内に収容されたビーズ２に対してのみ、接触している。
【００７０】
図３Ｃは、製造方法および製造誤差を考慮して最小直径（φｉとして示されている）に等しい直径のビーズ２が、チャンバ１０１内に位置しているケースに対応している。
【００７１】
閉塞部材１Ａ，１Ｂどうしの間の離間距離は、図３Ａおよび図３Ｂのディスペンサの場合と同じである。この場合には、チャンバ１０１内に収容されたビーズ２の上端は、上流側の閉塞部材１Ｂの傾斜部分の先端を含有する平面と比較して、下流側に引っ込んで配置されている。上流側の閉塞部材１Ｂが、ビーズ２をチャンバ１０１内に導入するために、開放位置とされたときには、直上に位置した第２のビーズ２が、チャンバ１０１内に係合することとなる。しかしながら、上流側の閉塞部材１Ｂが、チャンバ１０１の閉塞位置へと復帰した場合には、その傾斜形状が、チャンバ１０１内に係合した上流側のビーズに対して何らの剪断応力を作用させることなく、チャンバ１０１内に係合したその上流側のビーズを、押し戻す可能性を提供する。
【００７２】
図３Ｄに示すように、閉塞部材のサイズは、放出対象をなすビーズの最小直径（φｉ）および最大直径（φｓ）を考慮して、決定することができる。
【００７３】
上述したように、本発明は、ビーズの放出に限定されるものではない。図４は、ゲルカプセルの放出に際してのディスペンサの動作を例示している。
【００７４】
図４においては、ゲルカプセル２を収容した容器は、ゲルカプセル２を放出するための位置で図示されており、タンク３は、ディスペンサを構成する構成部材１０，１１よりも上方に配置されている。このディスペンサの動作原理は、図２Ａ〜図２Ｄに図示したものと同様である。
【００７５】
構成部材１０は、ゲルカプセルを放出するためのコンジット１００を備えたものであって、タンク３に対して固定された構成部材１１内をスライドし得るよう構成されている。
【００７６】
構成部材１０は、その上流側部分に、傾斜壁１０３０を有しており、構成部材１１は、その上流側部分に、傾斜壁１１３０を有している。
【００７７】
図４においては、双方の傾斜壁は、互いに延長上に位置している。この状況は、図２Ｃの場合に対応している。すなわち、双方の閉塞部材１Ａ，１Ｂは、ゲルカプセル２を収容しているチャンバ１０１に対しての閉塞位置とされている。
【００７８】
構成部材１０が上流側へとスライドされたときには、すなわち、矢印とは逆向きにスライドされたときには、傾斜壁１０３０は、タンク３内において傾斜壁１０３０を超えて上流側に向けて延在し、一方においては、ゲルカプセルを機械的に混合する効果を有し、他方においては、コンジット１００の拡径上端部内に収容されたゲルカプセルを、長手方向に配向させるという効果を有している。これにより、ゲルカプセルをコンジット１００内へと導入することができる。
【００７９】
ここで、本発明によるディスペンサの第１実施形態について、図５Ａ〜図５Ｅを参照して説明する。このディスペンサは、図２Ａ〜図２Ｄにおいておよび図４において図示されたディスペンサと同様である。
【００８０】
図５Ａは、ディスペンサの双方の構成部材１０，１１を示す分解斜視図であって、構成部材１０，１１は、互いに協働して、閉塞部材を形成する。矢印は、上流側から下流側に向けてのビーズの流れ方向を示している。
【００８１】
構成部材１１は、長手方向軸線Ｘに沿って延在した全体的にチューブ状の形状を有している。構成部材１１の壁には、径方向において互いに反対側に位置した２つの平行なグルーブ１１２が穿孔されている。グルーブ１１２は、構成部材１１の下流側エッジから延在している。グルーブ１１２は、直線的なものではなく、屈曲ポイント１１２Ｃの両サイドにおいて互いに逆向きに傾斜した２つの部分１１２Ａ，１１２Ｂを有したものとされている。
【００８２】
構成部材１１の壁には、さらに、径方向において互いに反対側に位置した２つの平行な直線的グルーブ１１３が穿孔されている。グルーブ１１３は、構成部材１１の下流側エッジから延在している。
【００８３】
以下においては、グルーブ１１２，１１３の機能について説明する。
【００８４】
構成部材１０は、長手方向軸線Ｘに沿って、構成部材１１内をスライドし得るよう構成されている。
【００８５】
構成部材１０は、長手方向軸線Ｘに沿って延在した全体的にチューブ状の形状を有したボディ１０３を備えている。ボディ１０３の内壁は、ビーズを放出するためのコンジット１００を規定している。
【００８６】
ボディ１０３からは、長手方向軸線Ｘに対して垂直に、径方向において互いに反対側に位置した２つの直線状アーム１０５が延出されている。これらアーム１０５は、ボディ１０３の下流側部分に位置している。
【００８７】
構成部材１０は、さらに、２対のフレキシブルアーム１０２Ａ，１０２Ｂを有している。これらフレキシブルアーム１０２Ａ，１０２Ｂは、直線状アーム１０５に対して実質的に直交して径方向に延在している。
【００８８】
ディスペンサが組み立てられたときには、構成部材１０のフレキシブルアーム１０２Ａ，１０２Ｂが、構成部材１１のグルーブ１１２内に挿入され、なおかつ、構成部材１０の直線状アーム１０５が、構成部材１１の直線状グルーブ１１３内に挿入される。
【００８９】
直線状アーム１０５と直線状グルーブ１１３との協働は、構成部材１１内における構成部材１０のスライドを案内するという機能を有している。
【００９０】
このスライド時には、アーム１０２Ａ，１０２Ｂは、傾斜グルーブ１１２がなす経路に追従し、アーム１０２Ａ，１０２Ｂと傾斜グルーブ１１２との協働は、閉塞部材１Ａ，１Ｂを形成し、それら閉塞部材の様々な配置関係を提供する。
【００９１】
ビーズの放出のために使用されたときには、ディスペンサの構成部材１１は、一般に、ユーザーの手に対して固定され、他方、構成部材１０は、構成部材１１内をスライド駆動される。
【００９２】
図５Ｂおよび図５Ｃは、構成部材１０，１１の２つの異なる配置を示している。
【００９３】
図５Ｂの配置状況においては、構成部材１０は、構成部材１１の下流側部分内に配置されており、構成部材１０，１１の下流側エッジどうしは、実質的に同じ平面内に位置している。
【００９４】
フレキシブルアーム１０２Ａ，１０２Ｂは、グルーブ１１２の下流側部分１１２Ａ内に位置している。
【００９５】
グルーブ１１２の下流側部分１１２Ａの傾斜のために、フレキシブルアーム１０２Ｂよりも下流側に位置しているフレキシブルアーム１０２Ａは、フレキシブルアーム１０２Ｂに対して、長手方向軸線Ｘまわりにシフトする。
【００９６】
さらに、グルーブ１１２の下流側部分１１２Ａの傾斜は、フレキシブルアーム１０２Ａどうしを近づけるとともに、フレキシブルアーム１０２Ｂどうしを互いに遠ざける傾向がある。これにより、フレキシブルアーム１０２Ａは、閉塞位置とされた下流側の閉塞部材を構成し、フレキシブルアーム１０２Ｂは、開放位置とされた上流側の閉塞部材を構成する。
【００９７】
図５Ｃは、図５Ｂに対して、構成部材１１内における構成部材１０のスライドが、上流側へと向けてさらに継続された状況を示している。この状況においては、上流側のアーム１０２Ｂは、グルーブ１１２の屈曲ポイント１１２Ｃを超えて通過しており、グルーブ１１２の上流側部分１１２Ｂ内に位置している。グルーブ１１２の上流側部分１１２Ｂは、グルーブ１１２の下流側部分１１２Ａと比較して、逆向きの傾斜を有している。
【００９８】
フレキシブルアーム１０２Ａが、なおも、グルーブ１１２の下流側部分１１２Ａ内に位置していることのために、フレキシブルアーム１０２Ａは、互いに遠ざかる傾向があり、これにより、開放位置とされた下流側の閉塞部材が提供される。他方、フレキシブルアーム１０２Ｂは、互いに近づく傾向があり、これにより、閉塞位置とされた上流側の閉塞部材が提供される。
【００９９】
構成部材１１のグルーブ１１２，１１３が、構成部材１１の高さ全体にわたって延在していないことのために、構成部材１０の上流側が当接することとなる。
【０１００】
構成部材１０の構造については、図５Ｄおよび図５Ｅを参照することにより、明瞭に理解されるであろう。図５Ｄは、製造の終了時点という初期状態で構成部材１０を示しており、図５Ｅは、使用状態において構成部材１０を示している。
【０１０１】
構成部材１０は、有利には、熱可塑性ポリマー材料の射出成型によって形成される。これは、ボディ１０３から径方向に延出されかつヒンジ１０６を介してボディ１０３に対して連結されたフレキシブルアーム１０２Ａ，１０２Ｂを、一体的に形成し得る可能性を提供する。ヒンジ１０６は、典型的には、材料の局所的な薄肉部分によって得られる。
【０１０２】
ヒンジ１０６は、図５Ｅに示すように、ボディ１０３に向けて各フレキシブルアーム１０２Ａ，１０２Ｂを折り曲げ得るという可能性を提供する。
【０１０３】
さらに、各フレキシブルアーム１０２Ａ，１０２Ｂは、有利には丸められた傾斜部分の態様をなす突起１０４を有している。突起１０４は、フレキシブルアーム１０２Ａ，１０２Ｂがボディ１０３に向けて折り曲げられたときには、ボディ１０３の開口１０３Ａ，１０３Ｂに対向する。
【０１０４】
フレキシブルアーム１０２Ａ，１０２Ｂ上に印加される応力に応じて、突起１０４は、コンジット１００の内部へと嵌め込まれる。これにより、上流側の閉塞部材と下流側の閉塞部材とが形成され、これら閉塞部材によって、放出すべき１つまたは複数のビーズを受領することを意図したチャンバが形成される。
【０１０５】
有利には、図２Ｄを参照して上述したように、軸線方向における構成部材１１内への構成部材１０のスライド移動は、タンク内に収容されたビーズの混合を引き起こす。これは、球形対象物または凸状端部を有した長尺対象物の幾何学的組織化によるブレーシング現象を回避する。
【０１０６】
長尺対象物の場合には、その混合により、図４を参照して上述したように、対象物が、これら対象物の長さの方向を有するように、対象物を配向させることができる。
【０１０７】
このディスペンサは、２つの構成部材（一体部材の各々）だけを備えていることによりすなわち構成部材１０，１１だけを備えていることによりとりわけ単純なものとされたものであって、このディスペンサにより、対象物の効果的な混合と、放出対象をなす対象物の正確なカウントと、の双方を行い得ることに、注意されたい。
【０１０８】
次に、図６Ａ〜図６Ｃを参照して、本発明によるディスペンサの第２実施形態について説明する。
【０１０９】
ディスペンサ１は、構成部材１０を備えている。この構成部材１０は、全体的にチューブ形状でもって長手方向軸線Ｘに沿って延在しており、この構成部材１０の内壁は、ビーズの放出のためのコンジット１００を形成している。構成部材１０の壁には、径方向において互いに反対側に位置した開口１０７が形成されている。各開口１０７は、構成部材１０の外壁から突出した２つの突出リブ１０７Ａ，１０７Ｂによって囲まれている。
【０１１０】
ディスペンサは、さらに、構成部材１１を備えている。構成部材１１は、長手方向軸線Ｘに対して垂直な方向において構成部材１０上を、突出リブ１０７Ａ，１０７Ｂの間を案内されながら、スライドし得るよう構成されている。
【０１１１】
この目的のために、構成部材１１は、２つの平行アーム１１０，１１１を有している。これら平行アーム１１０，１１１は、長手方向軸線Ｘに対して直交して延在している。これら平行アーム１１０，１１１どうしは、これら平行アーム１１０，１１１に対して直交する平面内に延在する壁１１４を介して、互いに連結されている。
【０１１２】
図６Ｂに明瞭に図示されているように、平行アーム１１０は、互いに対向する突起１１０Ａ（有利には、傾斜面を有している）を有しており、他方、平行アーム１１１は、互いに対向する突起１１１Ｂ（有利には、傾斜面を有している）を有している。さらに、平行アーム１１０の突起１１０Ａは、平行アーム１１１の突起１１１Ｂの全体に対して対向していない。平行アーム１１０，１１１の各々の中央部分には、突起が位置している。突起１１１Ｂは、平行アーム１１１の一端部寄りに位置しており、突起１１０Ａは、平行アーム１１０の他端部寄りに位置している。
【０１１３】
各突起により、構成部材１０のリブ１０７Ａ，１０７Ｂ間における構成部材１１のスライドが可能とされる。突起の端部は、突起が開口１０７に対向しているときには、コンジット１００の内部に向けて延在している。
【０１１４】
したがって、互いに対向している突起１１１Ｂが、上流側の閉塞部材を形成し、互いに対向している突起１１０Ａが、下流側の閉塞部材を形成する。これら閉塞部材の駆動シーケンスは、図２Ａ〜図２Ｄを参照して上述したものと同様である。ただし、相違点は、構成部材１０，１１の相対スライドが、この第２実施形態では、長手方向軸線Ｘに対して垂直な平面内において行われていることである。したがって、図５Ａ〜図５Ｅの実施形態とは異なり、図６Ａ〜図６Ｃの実施形態は、タンク内に収容された対象物の制御された混合を提供しない。
【０１１５】
ここで図示された例においては、双方の閉塞部材の間に形成されたチャンバ１０１は、４つのビーズを受領し得るよう構成されている（図６Ｃを参照されたい）。しかしながら、異なる数のビーズを収容し得るように構成し得ることや、球形対象物や凸状端部を有した長尺対象物を収容し得るように構成し得ることや、単一のビーズのみを収容し得るように構成し得ることは、明らかである。
【０１１６】
この点に関し、構成部材１０の壁が、複数の開口１０７と対応するリブ１０７Ａ，１０７Ｂとを有するものとして図示されていることに、注意されたい。ディスペンサを構成するに際しては、チャンバ１０１の上流側における一対だけの開口と、チャンバ１０１の下流側における一対だけの開口とで、十分である。しかしながら、複数の開口の存在および対応するリブの存在により、チャンバ１０１内に受領されるビーズの数を、構成部材１１の平行アーム１１０，１１１の長手方向軸線Ｘに沿っての間隔を単に変更することによって、調節し得る可能性が提供される。
【０１１７】
先の実施形態と同様に、構成部材１０，１１の各々は、一体部材として形成することができる。したがって、ディスペンサは、２つの構成部材だけから形成され、ディスペンサの組立操作が、極めて単純である。
【０１１８】
一実施形態においては、ディスペンサは、想定されている実施形態とは無関係に、構成部材１０，１１のための相対的復帰デバイスを有することができる。
【０１１９】
この復帰デバイスは、例えば、構成部材１０，１１の間に配置された弾性部材を有することができる。この弾性部材により、上流側の閉塞部材および下流側の閉塞部材の双方を、開放位置へと、あるいは、閉塞位置へと、復帰させることができる。
【０１２０】
有利には、そのような弾性復帰部材は、上記の第１構成部材および第２構成部材のうちのいずれか一方に対しての一体部材として形成することができる。これにより、追加的な部材を追加する必要がない。
【０１２１】
図７Ａは、図５Ａ〜図５Ｅの実施形態の代替可能な実施形態に関し、構成部材１１を示す斜視図であり、図７Ｂは、そのような代替可能な実施形態が組み立てられた際におけるディスペンサ１を示す斜視図である。図５Ａ〜図５Ｅを参照して既に説明した構成部材については、再度の説明を省略する。
【０１２２】
構成部材１１は、長手方向に延在した湾曲リーフ１１５（例えば、Ｓ字形状）を有している。このリーフ１１５は、このリーフ１１５の一端部１１５Ａのところにおいては、構成部材１１の壁に対して連結されている。リーフ１１５の他端部１１５Ｂは、自由端とされている。
【０１２３】
有利には、リーフ１１５は、構成部材１１に対しての一体部材とされ、よって、構成部材１１の成型時に形成することができる。
【０１２４】
リーフ１１５は、形状に依存してまた寸法に依存してまた材質に依存して、いくらかの弾性を有している。
【０１２５】
構成部材１０は、下流側端部のところに、フランジ１１６を有している。このフランジ１１６は、構成部材１０が構成部材１１内におけるスライドによって取り付けられた際に弾性リーフ１１５の自由端１１５Ｂに対して対向することを意図した支持表面を有している。とりわけ、フランジ１１６は、上流側の端部のところに、リーフ１１５の自由端１１５Ｂを上面上に載置させ得る支持表面１１６Ａを有している。
【０１２６】
構成部材１１は、フランジ１１６の下流側に向けての当接を形成する当接部材１１７を有している。
【０１２７】
ディスペンサ１が組み立てられた際には、リーフ１１５は、軸線方向において下流側に向けて構成部材１０を押し戻す傾向がある。これにより、図７Ｂに図示したように（図２Ｂも参照されたい）、上流側の閉塞部材が開放位置とされかつ下流側の閉塞部材が閉塞位置とされた状態へと付勢される。
【０１２８】
対象物を放出することが意図されたときには、構成部材１０を、リーフ１１５の付勢力に抗して、軸線方向において上流側に向けてスライドさせる。
【０１２９】
第１フェーズにおいては、このスライドにより、双方の閉塞部材がチャンバの閉塞位置とされる（図２Ｃを参照されたい）。
【０１３０】
第２フェーズにおいては、上流側へのスライドを継続する。これにより、上流側の閉塞部材を閉塞位置としつつ、下流側の閉塞部材を、チャンバの開放位置へと移行させる（図２Ｄを参照されたい）。これにより、チャンバ内に収容されていた１つまたは複数の対象物が、ディスペンサから放出される。
【０１３１】
その後、構成部材１０が解放される。これにより、構成部材１０は、リーフ１１５によって、軸線方向において下流側に向けて押し戻される。これにより、構成部材１０は、図７Ｂに示す状態へと復帰することとなる。上流側の閉塞部材がチャンバの開放位置とされたときには、新たな対象物を、チャンバ内へと導入することができ、この新たな対象物は、閉塞位置とされた下流側の閉塞部材によって保持される。
【０１３２】
図８Ａは、図６Ａ〜図６Ｃの実施形態の代替可能な実施形態に関し、構成部材１１を示す斜視図であり、図８Ｂは、そのような代替可能な実施形態が組み立てられた際におけるディスペンサ１を示す斜視図である。図６Ａ〜図６Ｃを参照して既に説明した構成部材については、再度の説明を省略する。
【０１３３】
壁１１４は、長手方向ノッチ１１４Ａを有している。この長手方向ノッチ１１４Ａ内に、平行アーム１１０，１１１の方向に突出している湾曲リーフ１１５が延在している。リーフ１１５は、一方の端部１１５Ａのところにおいて、壁１１４に対して固定されている。
【０１３４】
有利には、リーフ１１５は、構成部材１１に対しての一体部材とされ、よって、構成部材１１の成型時に形成することができる。
【０１３５】
リーフ１１５は、形状に依存してまた寸法に依存してまた材質に依存して、いくらかの弾性を有している。
【０１３６】
構成部材１０が構成部材１０上へとスライドによって取り付けられた際には、リーフ１１５は、壁１１４とは反対側へと構成部材１０を押し戻す傾向がある。これにより、図８Ｂに図示したように、上流側の閉塞部材が開放位置とされかつ下流側の閉塞部材が閉塞位置とされた状態へと付勢される。
【０１３７】
対象物を放出することが意図されたときには、構成部材１０を、リーフ１１５の付勢力に抗して、壁１１４に向けてスライドさせる。
【０１３８】
第１フェーズにおいては、このスライドにより、双方の平行アームの突起１１０Ａ，１１１Ｂに対しての構成部材１１の同時的な係合によって、双方の閉塞部材がチャンバの閉塞位置とされる。
【０１３９】
第２フェーズにおいては、壁１１４に向けてのスライドを継続する。これにより、上流側の閉塞部材を、突起１１１Ｂに対しての構成部材１０の係合によって、閉塞位置としつつ、下流側の閉塞部材を、突起１１０Ａに対しての構成部材１０の係合解除によって、チャンバの開放位置へと移行させる。これにより、チャンバ内に収容されていた１つまたは複数の対象物が、ディスペンサから放出される。
【０１４０】
その後、構成部材１０が解放される。これにより、構成部材１０は、リーフ１１５によって、壁１１４とは反対側へと押し戻される。これにより、構成部材１０は、図８Ｂに示す状態へと復帰することとなる。上流側の閉塞部材がチャンバの開放位置とされたときには、新たな対象物を、チャンバ内へと導入することができ、この新たな対象物は、閉塞位置とされた下流側の閉塞部材によって保持される。
【０１４１】
様々な実施形態に関して上述したようなディスペンサは、放出対象をなす対象物を収容しているタンクに対して組み立てられる部材として、見なすことができる。その場合、ディスペンサは、例えばチューブといったような特にホメオパシー粒子のためのチューブといったような既存のタンクに対して、適合可能な寸法を有している。容器に対してのディスペンサの固定は、溶接や接着剤による接着やスナップオン固定等といったような任意の適切な手段によって、得られる。
【０１４２】
これに代えて、ディスペンサは、タンクを備えることができる。例えば、一方の構成部材をタンクに対しての一体部材として製造することによって、タンクを備えることができる。ディスペンサが軸線方向のスライドアーキテクチャーを有している場合には（図５Ａ〜図５Ｅの実施形態）、構成部材１１がタンクに対して一体的とされ、放出コンジット１００を有した構成部材１０は、軸線方向スライドによって移動可能とされる。これにより、タンク内に収容された対象物の混合が可能とされる。ディスペンサが、長手方向軸線に対して垂直な平面内におけるスライドアーキテクチャーを有している場合には、放出コンジット１００を有した構成部材１０が、有利には、タンクに対して一体的とされ、構成部材１１が、移動可能とされる。
【符号の説明】
【０１４３】
１    ディスペンサ、デバイス
１Ａ  閉塞部材
１Ｂ  閉塞部材
２    対象物
３    タンク、容器
１０    第１構成部材
１１    第２構成部材
１００    コンジット
１０１    チャンバ
１０２Ａ  フレキシブルアーム
１０２Ｂ  フレキシブルアーム
１０３    ボディ
１０３Ａ  開口
１０３Ｂ  開口
１０４    突起
１０７    開口
１１０    平行アーム
１１０Ａ  突起
１１１    平行アーム
１１１Ｂ  突起
１１２    グルーブ
１１５    弾性復帰部材
１０３０    傾斜壁
Ｘ    長手方向軸線
【図１Ａ】
0006492098.tif 000002
【図１Ｂ】
0006492098.tif 000003
【図１Ｃ】
0006492098.tif 000004
【図１Ｄ】
0006492098.tif 000005
【図１Ｅ】
0006492098.tif 000006
【図１Ｆ】
0006492098.tif 000007
【図１Ｇ】
0006492098.tif 000008
【図１Ｈ】
0006492098.tif 000009
【図２Ａ】
0006492098.tif 000010
【図２Ｂ】
0006492098.tif 000011
【図２Ｃ】
0006492098.tif 000012
【図２Ｄ】
0006492098.tif 000013
【図３Ａ】
0006492098.tif 000014
【図３Ｂ】
0006492098.tif 000015
【図３Ｃ】
0006492098.tif 000016
【図３Ｄ】
0006492098.tif 000017
【図４】
0006492098.tif 000018
【図５Ａ】
0006492098.tif 000019
【図５Ｂ】
0006492098.tif 000020
【図５Ｃ】
0006492098.tif 000021
【図５Ｄ】
0006492098.tif 000022
【図５Ｅ】
0006492098.tif 000023
【図６Ａ】
0006492098.tif 000024
【図６Ｂ】
0006492098.tif 000025
【図６Ｃ】
0006492098.tif 000026
【図７Ａ】
0006492098.tif 000027
【図７Ｂ】
0006492098.tif 000028
【図８Ａ】
0006492098.tif 000029
【図８Ｂ】
0006492098.tif 000030